(57)【要約】      （修正有）【課題】片面に丸太のような丸みが出て、ハーフログ材の単純貼りあわせによる割れ止溝が見えることもなく、丸太とハーフログ材の組み合わせによる隙間の発生もない、見栄えの良い、ハーフログ材を使った袖壁及び出入り口を提供する。【解決手段】ハーフログ材の重ね合わせの中に無垢の板材３を入れ、ハーフログ材の裏側にある割れ止溝をハーフログ材の切断面より短くすることによって割れ止溝が見えないようにした。【選択図】図６
0003216819.tif 000002
【実用新案登録請求の範囲】
【請求項１】
ハーフログ材の重ね合わせの中に無垢の板材を入れ、ハーフログには割れ止溝があって、その割れ止溝をハーフログの切断面より短くすることによって割れ止溝が見えなくすることを特徴した袖壁及び出入り口。
【考案の詳細な説明】
【技術分野】
【０００１】袖壁、出入り口にハーフログを使った技術分野に関する。
【背景技術】
【０００２】従来は丸太を使用して袖壁、出入り口を作っていた。
【考案の概要】
【考案が解決しようとする課題】
【０００３】ハーフログ材のみで製造すれば片面が平らで見栄えが悪く、ハーフログ材を単純に貼りあわせれば割れ止溝が見えてこれも見栄えが悪く、丸太とハーフログ材を組み合わせれば収縮率の差で縮が発生して隙間が出来てしまいこれも見栄えが悪くなる。
【課題を解決するための手段】
【０００４】ハーフログの重ね合わせの中に無垢の板材を入れ、ハーフログには割れ止溝があって、その割れ止溝をハーフログの切断面より短くすることによって割れ止溝が見えなくすることを特徴とし、これにて解決した。
【考案の効果】
【０００５】ハーフログ材を無垢の板材を挟むことによって片面にも丸太の使用のように丸みがでて、この板材があることにより隙間がなくなり、ハーフログ材の割れ止溝を短くしたことで割れ止溝を見えなくしたことで見栄え良くなった。
【図面の簡単な説明】
【０００６】
【図１】割れ止溝のあるハーフログ
【図２】袖壁
【図３】出入り口
【図４】割れ止溝があってハーフログの端面に割れ止溝のないハーフログ
【図５】割れ止溝の見えるハーフログの壁断面
【図６】本考案の袖壁、出入り口
【考案を実施するための形態】
【０００７】図１の様なハーフログ材１を使用し、内観のみがログハウスのような建物を建築する。
単純に建物の内壁のみを全てハーフログ材１を貼る事は従来から容易にできていたが、図２の様な袖壁、図３の様な出入り口が本来のログハウスの様に丸太でできているようにしようとすると、建物自体に丸太を使用して本当のログハウスか、袖壁、出入り口のみを丸太にし、ハーフログ材１と丸太の組み合わせで内装を施工するしかなかった。
【０００８】本件は内観のみがログハウスのような建物を建築する事である。
袖壁、出入り口のみを丸太にし、ハーフログ材１と丸太の組み合わせで施工すると、経年変化において、ハーフログ材１と丸太の木材の収縮率が違いから、乾燥するに従い、ズレが起きまた隙間が空く事になり経観を損ね気密性も損なわれます。
図６の様に無垢の壁材３を設け、その両側からハーフログ材１を張り合わせる。
また切断面４が綺麗な丸太を積んだ様にする為に、ハーフログ材１を積み上げるごとに、壁の表面と裏面の高さを測り表面裏面共に同じになるように施工する。
また無垢の壁材の切断面が、図４の様に、ハーフログ材１の裏側に割り止溝２の加工が施されている為、図５の断面４に割り止溝２が見え景観を損ねます。
【０００９】またハーフログ材１は間伐材等の木材から一気に削り出して作製するが、このハーフログ材を削り出す時に、同時にできる割り止溝１を加工しない仕様の図４（ａ）の物を用意する。そして、図４（ｂ）の様に断面付近の数センチはそのまま割り止め溝１を加工しないで、その他断面になる所以外の所のみを壁に貼りつける前に、壁の長さに合わせて後から割り止溝２を加工する。
この事によって、図６の様に袖壁、出入り口に、割り止め溝２が見えなくなる。
【符号の説明】
【００１０】１  ハーフログ材
２  割れ止め溝
３  無垢の板材
４  袖壁、出入り口の断面
【図１】
0003216819.tif 000003
【図２】
0003216819.tif 000004
【図３】
0003216819.tif 000005
【図４】
0003216819.tif 000006
【図５】
0003216819.tif 000007
【図６】
0003216819.tif 000008
【手続補正書】
【提出日】平成30年4月4日(2018.4.4)
【手続補正１】
【補正対象書類名】実用新案登録請求の範囲
【補正対象項目名】全文
【補正方法】変更
【補正の内容】
【実用新案登録請求の範囲】
【請求項１】
ハーフログ材の重ね合わせの中に無垢の板材を入れ、ハーフログ材には割れ止溝があって、その割れ止溝をハーフログ材の切断面より短くすることによって割れ止溝が見えなくすることを特徴とした袖壁と出入り口を両方備えた物。
【手続補正２】
【補正対象書類名】明細書
【補正対象項目名】全文
【補正方法】変更
【補正の内容】
【考案の詳細な説明】
【技術分野】
【０００１】袖壁、出入り口にハーフログ材を使った技術分野に関する。
【背景技術】
【０００２】従来は丸太を使用して袖壁、出入り口を作っていた。
【考案の概要】
【考案が解決しようとする課題】
【０００３】ハーフログ材のみで製造すれば片面が平らで見栄えが悪く、ハーフログ材を単純に貼りあわせれば割れ止溝が見えてこれも見栄えが悪く、丸太とハーフログ材を組み合わせれば収縮率の差で縮が発生して隙間が出来てしまいこれも見栄えが悪くなる。
【課題を解決するための手段】
【０００４】ハーフログ材の重ね合わせの中に無垢の板材を入れ、ハーフログ材には割れ止溝があって、その割れ止溝をハーフログ材の切断面より短くすることによって割れ止溝が見えなくすることを特徴とし、これにて解決した。
【考案の効果】
【０００５】ハーフログ材を無垢の板材を挟むことによって片面にも丸太の使用のように丸みがでて、この板材があることにより隙間がなくなり、ハーフログ材の割れ止溝を短くしたことで割れ止溝を見えなくしたことで見栄え良くなった。
【図面の簡単な説明】
【０００６】
【図１】割れ止溝のあるハーフログ材
【図２】袖壁
【図３】出入り口
【図４】割れ止溝があってハーフログ材の端面に割れ止溝のないハーフログ材
【図５】割れ止溝の見えるハーフログ材の壁断面
【図６】本考案の袖壁、出入り口
【考案を実施するための形態】
【０００７】図１の様なハーフログ材１を使用し、内観のみがログハウスのような建物を建築する。
単純に建物の内壁のみを全てハーフログ材１を貼る事は従来から容易にできていたが、図２の様な袖壁、図３の様な出入り口が本来のログハウスの様に丸太でできているようにしようとすると、建物自体に丸太を使用して本当のログハウスか、袖壁、出入り口のみを丸太にし、ハーフログ材１と丸太の組み合わせで内装を施工するしかなかった。
【０００８】本件は内観のみがログハウスのような建物を建築する事である。
袖壁、出入り口のみを丸太にし、ハーフログ材１と丸太の組み合わせで施工すると、経年変化において、ハーフログ材１と丸太の木材の収縮率が違いから、乾燥するに従い、ズレが起きまた隙間が空く事になり経観を損ね気密性も損なわれます。
図６の様に無垢の壁材３を設け、その両側からハーフログ材１を張り合わせる。また切断面４が綺麗な丸太を積んだ様にする為に、ハーフログ材１を積み上げるごとに、壁の表面と裏面の高さを測り表面裏面共に同じになるように施工する。
また無垢の壁材の切断面が、図４の様に、ハーフログ材１の裏側に割り止溝２の加工が施されている為、図５の断面４に割り止溝２が見え景観を損ねます。
【０００９】またハーフログ材１は間伐材等の木材から一気に削り出して作製するが、このハーフログ材を削り出す時に、同時にできる割り止溝１を加工しない仕様の図４（ａ）の物を用意する。そして、図４（ｂ）の様に断面付近の数センチはそのまま割り止め溝１を加工しないで、その他断面になる所以外の所のみを壁に貼りつける前に、壁の長さに合わせて後から割り止溝２を加工する。
この事によって、図６の様に袖壁、出入り口に、割り止め溝２が見えなくなる。
【符号の説明】
【００１０】１  ハーフログ材
２  割れ止め溝
３  無垢の板材
４  袖壁、出入り口の断面